(57)【要約】      （修正有）【課題】出力音量を向上させ、単一ホーンの音波によるマイクロフォンに対する干渉を緩和し、且つホーン出力音のマイクロホンユニットに対する正帰還を回避し、ビープ音の防止に寄与するマイクロスピーカー一体機を提供する。【解決手段】マイクロスピーカー一体機は、マイクロホンユニット１０と、スピーカーユニット１１と、ハンドルユニット１２とを備え、マイクロホンユニット、スピーカーユニット及びハンドルユニットは、共通軸線の方向に順に積み重ねて取り付けられ、スピーカーユニットは、少なくとも２つのホーン１１１と、スピーカーホルダ１１２と、スピーカーハウジング１１３とを備え、少なくとも２つのホーンがスピーカーホルダに対称的に設けられ、スピーカーホルダがスピーカーハウジングに固定され、ホーンの発声面がスピーカーホルダの中軸線とプリセット角度に設けられ、且つ発声面がマイクロホンユニットと背向する。【選択図】図１
0003228699.tif 000002
【実用新案登録請求の範囲】
【請求項１】
マイクロホンユニットと、スピーカーユニットと、ハンドルユニットとを備え、
前記マイクロホンユニット、前記スピーカーユニット及び前記ハンドルユニットは、共通軸線の方向に順に積み重ねて取り付けられ、
前記スピーカーユニットは、少なくとも２つのホーンと、スピーカーホルダと、スピーカーハウジングとを備え、前記少なくとも２つのホーンが前記スピーカーホルダに対称的に設けられ、前記スピーカーホルダが前記スピーカーハウジングに固定され、
前記ホーンの発声面が前記スピーカーホルダの中軸線とプリセット角度に設けられ、且つ前記発声面が前記マイクロホンユニットと背向する、
ことを特徴とするマイクロスピーカー一体機。
【請求項２】
前記プリセット角度は、１５°〜３０°である、
ことを特徴とする請求項１に記載のマイクロスピーカー一体機。
【請求項３】
前記スピーカーユニットは、前記スピーカーホルダに対称的に設けられる少なくとも２つの低音ラジエータをさらに備える、
ことを特徴とする請求項１に記載のマイクロスピーカー一体機。
【請求項４】
前記スピーカーユニットは、前記スピーカーホルダの外壁と前記スピーカーハウジングの内壁との間に設けられる振動抑制パッドをさらに備える、
ことを特徴とする請求項１に記載のマイクロスピーカー一体機。
【請求項５】
前記スピーカーホルダは、係合して接続される第１ホルダと第２ホルダとを備える、
ことを特徴とする請求項１に記載のマイクロスピーカー一体機。
【請求項６】
前記マイクロホンユニットは、エレクトレットマイクロフォンと音響キャビティ底板とを備え、
前記エレクトレットマイクロフォンが前記音響キャビティ底板に固定され、前記音響キャビティ底板が前記スピーカーユニットと前記エレクトレットマイクロフォンとの間に設けられる、
ことを特徴とする請求項１に記載のマイクロスピーカー一体機。
【請求項７】
前記音響キャビティ底板の、前記エレクトレットマイクロフォンに近い側の表面には、円錐台形のボスが設けられ、前記エレクトレットマイクロフォンは、前記ボスの直径が小さい一端に取り付けられる、
ことを特徴とする請求項６に記載のマイクロスピーカー一体機。
【請求項８】
前記マイクロホンユニットは、前記エレクトレットマイクロフォンと前記音響キャビティ底板との間に設けられた、前記エレクトレットマイクロフォンと前記音響キャビティ底板を接続するエレクトレットマイクロフォンホルダをさらに備え、前記エレクトレットマイクロフォンホルダの硬度が前記音響キャビティ底板の硬度より小さい、
ことを特徴とする請求項６に記載のマイクロスピーカー一体機。
【請求項９】
前記マイクロホンユニットは、グリルと、風防スポンジとをさらに備え、
前記グリルが前記スピーカーハウジングに接続され、前記風防スポンジが前記グリルにカバーされる、
ことを特徴とする請求項１に記載のマイクロスピーカー一体機。
【考案の詳細な説明】
【技術分野】
【０００１】
本考案は、音響学装置の技術分野に関し、特にマイクロスピーカー一体機に関する。
【背景技術】
【０００２】
科学技術の急速な発展に伴い、ネットワーク生放送、カラオケなどの人々の娯楽ニーズを満たすように、様々なマイクロスピーカー一体機が登場した。
【０００３】
従来のマイクロスピーカー一体機では、スピーカーが音を放送する機能を実現するとき、出力するのは、ホーンから直接発音される音であり、低音音質が不足であり、また、マイクロホンとスピーカーが音響キャビティを共用するため、マイクロホンのエレクトレットマイクロフォンがスピーカーから発音される音をピックアップし、ビープ音の問題が発生しやすく、ビープ音の問題を緩和するために、一般的に、ゲインを減少させることで解決する。しかしながら、ゲインの減少は、音響効果を全体的に弱め、人の声が重苦しくなり、ユーザ体験を低減させ、ユーザの好感度を下げる。
【考案の概要】
【考案が解決しようとする課題】
【０００４】
本考案は、音質が悪く、且つ音量が十分に充実かつはっきりしないという問題を解決するために、マイクロスピーカー一体機を提供する。
【課題を解決するための手段】
【０００５】
本考案は、マイクロスピーカー一体機を提供し、前記マイクロスピーカー一体機は、マイクロホンユニットと、スピーカーユニットと、ハンドルユニットとを備え、
前記マイクロホンユニット、前記スピーカーユニット及び前記ハンドルユニットは、共通軸線の方向に順に積み重ねて取り付けられ、
前記スピーカーユニットは、少なくとも２つのホーンと、スピーカーホルダと、スピーカーハウジングとを備え、前記少なくとも２つのホーンが前記スピーカーホルダに対称的に設けられ、前記スピーカーホルダが前記スピーカーハウジングに固定され、
前記ホーンの発声面が前記スピーカーホルダの中軸線とプリセット角度に設けられ、且つ前記発声面が前記マイクロホンユニットと背向する。
【０００６】
好ましくは、前記プリセット角度は、１５°〜３０°である。
【０００７】
好ましくは、前記スピーカーユニットは、前記スピーカーホルダに対称的に設けられる少なくとも２つの低音ラジエータをさらに備える。
【０００８】
好ましくは、前記スピーカーユニットは、前記スピーカーホルダの外壁と前記スピーカーハウジングの内壁との間に設けられる振動抑制パッドをさらに備える。
【０００９】
好ましくは、前記スピーカーホルダは、係合して接続される第１ホルダと、第２ホルダとを備える。
【００１０】
好ましくは、前記マイクロホンユニットは、エレクトレットマイクロフォンと、音響キャビティ底板とを備え、
前記エレクトレットマイクロフォンが前記音響キャビティ底板に固定され、前記音響キャビティ底板が前記スピーカーユニットと前記エレクトレットマイクロフォンとの間に設けられる。
【００１１】
好ましくは、前記音響キャビティ底板の、前記エレクトレットマイクロフォンに近い側の表面には、円錐台形のボスが設けられ、前記エレクトレットマイクロフォンは、前記ボスの直径が小さい一端に取り付けられる。
【００１２】
好ましくは、前記マイクロホンユニットは、前記エレクトレットマイクロフォンと前記音響キャビティ底板との間に設けられた、前記エレクトレットマイクロフォンと前記音響キャビティ底板を接続するエレクトレットマイクロフォンホルダをさらに備え、前記エレクトレットマイクロフォンホルダの硬度が前記音響キャビティ底板の硬度より小さい。
【００１３】
好ましくは、前記マイクロホンユニットは、グリルと、風防スポンジをさらに備え、
前記グリルが前記スピーカーハウジングに接続され、前記風防スポンジが前記グリルにカバーされる。
【考案の効果】
【００１４】
先行技術に対して、本考案は、以下の利点を有する。
本考案の実施例により提供されるマイクロスピーカー一体機では、スピーカーユニットに少なくとも２つのホーンが設けられることによって、出力する音量を向上させ、且つホーンが対称的に設けられ、対向して伝播する音波を相殺し、単一ホーンの音波によるエレクトレットマイクロフォンに対する干渉により引き起こされるビープ音の問題を緩和し、且つホーンの発声面がスピーカーホルダの中軸線とプリセット角度に設けられ、発声面がマイクロホンユニットと背向し、ホーンから出力される音がマイクロホンユニットに対して正帰還を形成することを回避し、ビープ音の防止に寄与する。
【００１５】
本考案の実施例の技術的解決手段をよりはっきりと説明するために、以下、本考案の実施例の説明に用いる図面について簡単に説明し、当然ながら、以下説明される図面は、本考案の一部の実施例に過ぎず、当業者であれば、創造的な労働をせずに、これらの図面に基づいて他の図面を得ることができる。
【図面の簡単な説明】
【００１６】
【図１】本考案の実施例により提供されるマイクロスピーカー一体機の分解図である。
【図２】本考案の実施例により提供されるマイクロスピーカー一体機の組立図である。
【図３】本考案の実施例により提供されるマイクロスピーカー一体機のホーンの取り付け位置の模式図である。
【図４】本考案の実施例により提供されるマイクロスピーカー一体機のホーンの取り付け角度の模式図である。
【考案を実施するための形態】
【００１７】
本考案の上記目的、特徴及び利点をより明瞭かつ分かりやすくするために、以下、図面と考案を実施するための形態を参照しながら、本考案についてさらに詳細に説明する。
【００１８】
図１〜図４を参照し、本考案は、マイクロスピーカー一体機を提供し、前記マイクロスピーカー一体機は、マイクロホンユニット１０と、スピーカーユニット１１と、ハンドルユニット１２とを備え、
前記マイクロホンユニット１０、前記スピーカーユニット１１及び前記ハンドルユニット１２は、共通軸線の方向に順に積み重ねて取り付けられ、
前記スピーカーユニット１１は、少なくとも２つのホーン１１１と、スピーカーホルダ１１２と、スピーカーハウジング１１３とを備え、前記少なくとも２つのホーン１１１が前記スピーカーホルダ１１２に対称的に設けられ、前記スピーカーホルダ１１２が前記スピーカーハウジング１１３に固定され、
前記ホーン１１１の発声面Ｍが前記スピーカーホルダ１１２の中軸線Ｌとプリセット角度αに設けられ、且つ前記発声面Ｍが前記マイクロホンユニット１０と背向する。
【００１９】
具体的には、図１は、本考案により提供されるマイクロスピーカー一体機の爆発模式図を示し、図２は、組立図である。該マイクロスピーカー一体機は、マイクロホンユニット１０と、スピーカーユニット１１と、ハンドルユニット１２とを備える。マイクロホンユニット１０は、音をピックアップする機能ユニットであり、スピーカーユニット１１は、外部へ音を伝播する機能ユニットであり、ハンドルユニット１２は、該マイクロスピーカー一体機の把持ハンドルであり、マイクロホンユニット１０とスピーカーユニット１１の取り付けホルダでもあり、また、ハンドルユニット１２におけるキャビティ空間を用いて制御回路を取り付けることもできる。マイクロホンユニット１０、スピーカーユニット１１及びハンドルユニット１２は、共通軸線の方向に順に積み重ねて取り付けられ、すなわち上、中、下の構造に分けられ、マイクロホンユニット１０が上部に位置し、スピーカーユニット１１が中間に位置し、ハンドルユニット１２が下部に位置する。本考案により提供されるスピーカーユニット１１は、少なくとも２つのホーン１１１と、スピーカーホルダ１１２と、スピーカーハウジング１１３とを備え、少なくとも２つのホーン１１１がスピーカーホルダ１１２に対称的に設けられ、図３は、２つのホーン１１１がスピーカーホルダ１１２に対称的に設けられる模式図を示し、２つのホーン１１１は、ホーン口が外部に向き、スピーカーホルダ１１２に背向する対称形態に取り付けられ、スピーカーホルダ１１２がスピーカーハウジング１１３に固定される。それにより、ホーンの各々から発音される音波がスピーカーハウジング１１３の内壁により反射された後、対称的に設けられるため、振動を弱め、ビープ音の欠陥を改善することができる。図４に示すように、ホーン１１１の発声面Ｍは、振動板の所在する平面であり、スピーカーホルダ１１２の中軸線Ｌは、マイクロホンユニット１０、スピーカーユニット１１及びハンドルユニット１２が積み重ねて取り付けられる軸線であり、発声面Ｍと中軸線Ｌとがゼロ度より大きいプリセット角度αに設けられ、且つ発声面Ｍがマイクロホンユニット１０に背向し、すなわち音がマイクロホンユニット１０と反対する方向へ伝播し、それにより、マイクロホンユニット１０がホーン１１１から発音される音をピックアップすることを回避し、正帰還を減少させ、ビープ音の問題の発生を防止する。
【００２０】
本考案の実施例により提供されるマイクロスピーカー一体機では、スピーカーユニットに少なくとも２つのホーンが設けられることによって、出力する音量を向上させ、且つホーンが対称的に設けられ、対向して伝播する音波を相殺し、単一ホーンの音波によるエレクトレットマイクロフォンに対する干渉により引き起こされるビープ音の問題を緩和する。
【００２１】
好ましくは、図４を参照し、前記プリセット角度αは、１５°〜３０°である。
【００２２】
具体的には、図４に示すように、発声面Ｍと中軸線Ｌのプリセット角度αが小さすぎると、ビープ音の問題を緩和する効果が十分に顕著ではなく、発声面Ｍと中軸線Ｌのプリセット角度αが大きすぎると、音伝播方向がハンドルユニット１２の位置に近すぎ、音響効果が十分に理想的ではなく、従って、ビープ音の問題の改善効果と音響効果を合わせて考えると、プリセット角度αを１５°〜３０°にすることができる。
【００２３】
好ましくは、図１と図３を参照し、前記スピーカーユニット１１は、前記スピーカーホルダ１１２に対称的に設けられる少なくとも２つの低音ラジエータ１１４をさらに備える。
【００２４】
具体的には、図１と図３に示すように、該一体機から発音される音の低音効果を高めるために、前述したスピーカーユニット１１は、スピーカーホルダ１１２に対称的に設けられる少なくとも２つの低音ラジエータ１１４をさらに備え、同様に、振動を弱め、ビープ音の欠陥を改善することができる。
【００２５】
好ましくは、図１を参照し、前記スピーカーユニット１１は、前記スピーカーホルダ１１２の外壁と前記スピーカーハウジング１１３の内壁との間に設けられる振動抑制パッド１１５をさらに備える。
【００２６】
具体的には、図１に示すように、スピーカーホルダ１１２がスピーカーハウジング１１３に取り付けられるので、２つの固体の間の振動を解消し、ビープ音現象をできるだけ解消するために、スピーカーホルダ１１２の外壁とスピーカーハウジング１１３の内壁との間には、緩衝・制振効果を果たす振動抑制パッド１１５が設けられる。
【００２７】
好ましくは、図１を参照し、前記スピーカーホルダ１１２は、係合して接続される第１ホルダ１１２１と、第２ホルダ１１２２とを備える。
【００２８】
具体的には、図１に示すように、ホーン１１１及び低音ラジエータ１１４をスピーカーホルダ１１２に取り付けやすくするために、スピーカーホルダ１１２は、係合して接続される第１ホルダ１１２１と、第２ホルダ１１２２との２つの部分を含むように設計することができ、それによりリ、ユニットの着脱容易性を高める。
【００２９】
好ましくは、図１を参照し、前記マイクロホンユニット１０は、エレクトレットマイクロフォン１０１と音響キャビティ底板１０２とを備え、
前記エレクトレットマイクロフォン１０１が前記音響キャビティ底板１０２に固定され、前記音響キャビティ底板１０２が前記スピーカーユニット１１と前記エレクトレットマイクロフォン１０１との間に設けられる。
【００３０】
具体的には、図１に示すように、前述したマイクロホンユニット１０は、エレクトレットマイクロフォン１０１と、音響キャビティ底板１０２とを備える。エレクトレットマイクロフォン１０１は、音をピックアップする部材であり、一般的に、マイクとも呼ばれる。音響キャビティ底板１０２は、エレクトレットマイクロフォン１０１の位置するマイクロホン音響キャビティと、ホーン１１１の位置するスピーカー音響キャビティとを仕切りする板であり、従って、エレクトレットマイクロフォン１０１が音響キャビティ底板１０２に固定され、音響キャビティ底板１０２がスピーカーユニット１１とエレクトレットマイクロフォン１０１との間に設けられ、それにより、マイクロホン音響キャビティとスピーカー音響キャビティとがそれぞれ独立して密閉され、音の互相干渉を回避し、ビープ音の発生リスク下げる。
【００３１】
好ましくは、図１を参照し、前記音響キャビティ底板１０２の、前記エレクトレットマイクロフォン１０１に近い側の表面には、円錐台形のボス１０２１が設けられ、前記エレクトレットマイクロフォン１０１は、前記ボス１０２１の直径が小さい一端に取り付けられる。
【００３２】
具体的には、図１に示すように、音響キャビティ底板１０２の、エレクトレットマイクロフォン１０１に近い側の表面には、円錐台形のボス１０２１が設けられ、したがって、該ボス１０２１は、一端の直径が大きく、他端の直径が小さく、ボス１０２１は、直径が小さい一端にエレクトレットマイクロフォン１０１が取り付けられ、直径が大きい一端が音響キャビティ底板１０２に接続され、当然ながら、実際には、射出成形のプロセスによって、音響キャビティ底板１０２とボス１０２１が一体に射出成形されてもよい。ボス１０２１は、音響キャビティ底板１０２に錐体形に近似される突出構造を形成し、それにより、マイクロホン音響キャビティの音響構造を変え、さらに人の呼気により引き起こされる、マイクの異音の問題の発生を防止することに寄与する。
【００３３】
好ましくは、図１を参照し、前記マイクロホンユニット１０は、前記エレクトレットマイクロフォン１０１と、前記音響キャビティ底板１０２との間に設けられた、前記エレクトレットマイクロフォン１０１と前記音響キャビティ底板１０２を接続するエレクトレットマイクロフォンホルダ１０３をさらに備え、前記エレクトレットマイクロフォンホルダ１０３の硬度が前記音響キャビティ底板１０２の硬度より小さい。
【００３４】
具体的には、図１に示すように、マイクロホンユニット１０は、エレクトレットマイクロフォン１０１と音響キャビティ底板１０２との間に設けられた、エレクトレットマイクロフォン１０１と音響キャビティ底板１０２を接続するためのエレクトレットマイクロフォンホルダ１０３をさらに備え、音響キャビティ底板１０２からの振動を弱めるために、エレクトレットマイクロフォンホルダ１０３の硬度が音響キャビティ底板１０２の硬度より小さく、エレクトレットマイクロフォンホルダ１０３は、プラスチック、ゴム、シリコンのうちのいずれかで製造することができ、すなわち、柔軟性材料で製造することができる。
【００３５】
好ましくは、前記マイクロホンユニット１０は、グリルと、風防スポンジとをさらに備える、
前記グリルが前記スピーカーハウジング１１３に接続され、前記風防スポンジが前記グリルにカバーされる。
【００３６】
具体的には、前述したマイクロホンユニット１０は、グリルと、風防スポンジとをさらに備え、グリルがスピーカーハウジング１１３に接続され、風防スポンジがグリルにカバーされ、グリルは、プラスチック製グリル、金属材質製の単層または二層のグリルであり得る。グリルと風防スポンジによって異音、唾液を濾過し、物理的に修飾するという作用を果たし、音の収集品質を改善することができる。
【００３７】
本考案の実施例により提供されるマイクロスピーカー一体機では、スピーカーユニットに少なくとも２つのホーンが設けられることによって、出力する音量を向上させ、且つホーンが対称的に設けられ、対向して伝播する音波を弱め、単一ホーンの音波によるエレクトレットマイクロフォンに対する干渉により引き起こされるビープ音の問題を緩和し、さらに、ホーンがある角度をなして設けられることも、ビープ音の欠陥を改善することに寄与し、且つ少なくとも２つの低音ラジエータが低音効果をさらに高める。以上をまとめると、本考案の実施例により提供されるマイクロスピーカー一体機は、ビープ音のリスクが低く、且つ出力する音質効果がより優れる。
【００３８】
以上は、本考案の特定の実施形態に過ぎず、本考案の保護範囲は、これに限られず、当業者であれば考案により開示される技術範囲内に、容易に想到できる変化や置換は、いずれも本考案の特許請求範囲に含まれる。従って、本考案の特許請求範囲は、特許請求の範囲の保護範囲を基準とする。
【００３９】
なお、当業者にとっては、本考案の前記原理から逸脱することなく、さらにいくつかの改良や修飾を行うことができ、これらの改良と修飾も本考案の保護範囲とすることができる。
【００４０】
最後に、本明細書において、例えば第１及び第２などのような関係用語は、１つのエンティティまたは操作を別のエンティティまたは操作と区別するために使用しているだけであり、必ずしもなくこれらエンティティまたは操作間にいずれかのこの実際の関係または順序が存在することを要求または示唆するものではないことが留意されるべきである。さらに、用語「含む」、「備える」またはそれらのいずれかの変形は、排他的でないものを含むことを意図するものであり、それにより、一連の要素を含むプロセス、方法、物品、または端末機器は、その要素だけでなく、具体的に列挙されていない他の要素をさらに含み、またはこのプロセス、方法、物品または端末機器の固有の要素を含むようにさせる。より多くの制限がない場合、「…を含む」という文言によって限定される要素は、前記要素を含むプロセス、方法、物品、または端末機器において、さらに他の同じ要素が存在することを排除するものではない。
【００４１】
以上、本考案により提供されるマイクロスピーカー一体機について詳細に説明し、本明細書において、特定例を用いて本考案の原理及び実施形態について解釈し、以上の実施例の説明は、本考案の方法及びその要旨を理解するのを助けるものに過ぎず、また、当業者であれば、本考案の要旨に基づいて、特定の実施形態及び適用範囲に対して変更を行うことができ、よって、本明細書の内容は、本考案に対する制限として理解してはいけない。
【図１】
0003228699.tif 000003
【図２】
0003228699.tif 000004
【図３】
0003228699.tif 000005
【図４】
0003228699.tif 000006